(57)【特許請求の範囲】
【請求項１】
ドラフト装置（１）を備えていて、搬送方向Ｆにおいて前記ドラフト装置を通って移動する繊維材料Ｇを処理する、紡績準備機械における装置であって、トップローラおよびボトムローラを備えた、相前後して配置された複数のローラ対（２，３；４，５，６，７）と、汚れおよびその他の汚染物質を除去するために、それぞれ掻取り縁（Ｋ）で前記トップローラ（３，５，７）の１つに接触している、少なくとも２つの縦長の掻取り装置（９）と、該掻取り装置（９）の上に配置されていて負圧源（Ｕ）に接続されている吸込みフード（ＡＨ）と、を有している装置において、
前記掻取り装置（９）はそれぞれ、固有の吸込み通路（１１，１２，１３）に取り付けられており、このとき前記各掻取り装置（９）の前記掻取り縁（Ｋ）は、第１の開口（Ｏ１）の領域において前記固有の吸込み通路を越えて突出しており、前記個々の吸込み通路は、開口（Ｂ１，Ｂ２，Ｂ３）を備えた底壁（８）に取り付けられており、このとき前記各吸込み通路（１１，１２，１３）は、前記第１の開口（Ｏ１）とは反対側に位置する第２の開口（Ｏ２）を備えており、該第２の開口（Ｏ２）は、前記底壁（８）の前記開口（Ｂ１，Ｂ２，Ｂ３）に向かい合って位置しており、このとき前記吸込みフード（ＡＨ）は、前記底壁の前記開口（Ｂ１，Ｂ２，Ｂ３）を包囲していて、前記底壁（８）の、前記吸込み通路（１１，１２，１３）とは反対の側に取り外し可能に取り付けられていることを特徴とする、装置。
【請求項２】
前記吸込み通路（１１，１２，１３）のうちの、前記搬送方向Ｆにおいて最前の吸込み通路（１３）以外の少なくとも１つの吸込み通路（１１，１２）が、前記底壁（８）に対して、前記掻取り装置（９）の長手方向（Ｌ）に対して横方向に移動可能に取り付けられている、請求項１記載の装置。
【請求項３】
それぞれ移動可能に取り付けられた前記吸込み通路（１１，１２）の領域において、かつ前記各掻取り装置（９）の長手方向（Ｌ）に対して横方向で見て、前記底壁（８）に設けられた開口（Ｂ１，Ｂ２）の幅（ｈ）が、前記底壁（８）の前記各開口（Ｂ１，Ｂ２）に向かい合って位置する、前記吸込み通路（１１，１２）の前記第２の開口（Ｏ２）の幅（ｅ）よりも大きい、請求項２記載の装置。
【請求項４】
前記各移動可能な吸込み通路（１１，１２）は、その第２の開口（Ｏ２）の周囲の領域に、カバーエレメント（Ａ１，Ａ２）を備えており、該カバーエレメント（Ａ１，Ａ２）は、前記底壁（８）の前記開口（Ｂ１，Ｂ２）の、前記移動可能な吸込み通路（１１，１２）の前記第２の開口（Ｏ２）によって覆われていない領域を閉鎖している、請求項３記載の装置。
【請求項５】
前記掻取り装置（９）の長手方向（Ｌ）に対して横方向にかつ前記搬送方向Ｆで見て、前記各吸込み通路（１１，１２，１３）の前側および後側の通路壁（Ｗ１，Ｗ２）が、前記掻取り装置（９）に対して２〜１０ｍｍの間隔（ａ，ａ’）を有している、請求項１から４までのいずれか１項記載の装置。
【請求項６】
前側の通路壁（Ｗ１）に対する前記掻取り装置（９）の前記間隔（ａ’）と後側の通路壁（Ｗ２）に対する前記掻取り装置（９）の前記間隔（ａ）とは、互いに異なっている、請求項５記載の装置。
【請求項７】
前記掻取り装置（９）の長手方向（Ｌ）に対して横方向にかつ前記搬送方向Ｆで見て、前記掻取り装置（９）は、前側の通路壁（Ｗ１）の延長部に取り付けられていて、前記吸込み通路（１１，１２，１３）の、前記掻取り装置（９）と少なくとも部分的に向かい合って位置する後側の通路壁（Ｗ２）に対して８〜２０ｍｍの間隔（ｋ）を有している、請求項１から４までのいずれか１項記載の装置。
【請求項８】
前記底壁（８）はフレーム（２４）に固定されていて、該フレーム（２４）は、旋回軸（２２）を介して旋回可能に、機械フレーム（ＭＧ）に取り付けられており、このとき前記旋回軸（２２）は、前記掻取り装置（９）の長手方向（Ｌ）に対して平行に延びていて、前記フレーム（２４）に、前記ドラフト装置（１）の前記トップローラ（３，５，７）の支持部（２６，２７，２８）が取り付けられている、請求項１から７までのいずれか１項記載の装置。
【請求項９】
前記底壁（８）は、前記掻取り装置（９）の前記長手方向（Ｌ）に対して横方向に可動に前記フレーム（２４）に取り付けられていて、少なくとも１つのばねエレメント（３６）を介して作業位置において保持され、このとき前記ばねエレメント（３６）は、一方では前記フレーム（２４）に、かつ他方では前記底壁（８）に支持されており、さらに前記フレーム（２４）と前記底壁（８）との間に取り付けられたアクチュエータ（３８）が設けられていて、該アクチュエータ（３８）を介して、前記底壁（８）は周期的に、前記掻取り装置（９）の前記長手方向（Ｌ）に対して横方向に移動可能である、請求項８記載の装置。
【請求項１０】
前記アクチュエータは、空気力作動式のベローズシリンダ（３８）である、請求項９記載の装置。
【請求項１１】
前記吸込みフード（ＡＨ）は環状のシールエレメント（Ｄ）を備えていて、該シールエレメント（Ｄ）を介して前記吸込みフード（ＡＨ）は、前記底壁（８）に載置されていて、かつ固定手段（４４）を介して保持される、請求項１から１０までのいずれか１項記載の装置。
【請求項１２】
前記吸込みフード（ＡＨ）は透明な材料から成っている、請求項１から１１までのいずれか１項記載の装置。
【発明の詳細な説明】
【技術分野】
【０００１】
本発明は、ドラフト装置を備えた紡績準備機械における装置であって、トップローラおよびボトムローラを備えた、相前後して配置された複数のローラ対と、汚れおよびその他の汚染物質を除去するために、それぞれ掻取り縁でトップローラの１つに接触している、少なくとも２つの縦長の掻取り装置と、該掻取り装置の上に配置されていて負圧源に接続されている吸込みフードと、を有している装置に関する。
【０００２】
ドラフト装置のトップローラに運転中に付着する汚れおよびその他の汚染物質を除去するために、実地においては掻取り装置が使用され、この掻取り装置の掻取り縁は、ローラの周面に特定の圧着圧で接触している。このとき例えばフレキシブルな掻取り体が使用され、この掻取り体は、確定された当付け角度でかつ確定された予荷重をもってローラの周面に接触している。フレキシブルな掻取り体は、通常、ホルダに固定されており、このホルダを介して掻取り体は、ドラフト装置に固定される。
【０００３】
このような装置は例えば欧州特許第１７００９３７号明細書（ＥＰ１７００９３７Ｂ１）に基づいて公知である。掻取り装置の掻取りによって掻き取られた材料を、トップローラの領域から排出できるようにするために、掻取り装置の上には、負圧源に接続された吸込みフードが設けられている。
【０００４】
これによって、掻き取られた成分が各掻取り体において集積しないようにするために、掻取り体は、相応に設けられたアクチュエータを介して周期的に、確定された時間をおいて、掻き取られるローラの周面から持ち上げられる、またはローラ軸に対して水平方向に移動させられる。このような装置は、例えば欧州特許第１７００９３７号明細書（ＥＰ１７００９３７Ｂ１）および独国特許出願公開第３８２９４９０号明細書（ＤＥ３８２９４９０Ａ１）に開示されているように、一般的に知られている。
【０００５】
機械の生産性を絶え間なく高めるという傾向によって、ドラフト装置のトップローラおよびボトムローラの回転数もより高速になる。その結果、掻取り装置によって単位時間当たり掻き取られる物質の量も、より多量になる。これによって、従来公知の装置は、掻き取られた物質（汚れ、（アブラムシが分泌する）密（Honigtau）が混ざった繊維およびその他の成分）を連続的に、掻取り体の領域から排出することが、もはや不可能である。これによって、当該領域における集積が発生し、最終的にドラフト装置における障害が生じ得る。これによって一方では、各掻取り体の掻取り機能が不都合に損なわれ、かつ他方ではこのような集積物が、それが掻取り体から解離された場合に、ボトムローラとトップローラとの間におけるニップラインに達することがあり、ひいてはドラフト工程に対して不都合な影響を及ぼす。これによって、ドラフト装置に続いて形成されるスライバが不均一になることがある。
【０００６】
ゆえに本発明の課題は、公知の構成における欠点を排除して、掻取りによってローラ表面から掻き取られた物質を、高回転数時においても確実に掻取り領域から排出することができる装置を提供することである。
【０００７】
この課題を解決するために本発明の構成では、掻取り装置はそれぞれ、固有の吸込み通路に取り付けられており、このとき各掻取り装置の掻取り縁は、掻取り通路の第１の開口の領域において、掻取り縁に対応配置された吸込み通路を越えて突出しており、吸込み通路は、開口を備えた底壁に固定されており、このとき各吸込み通路は、第１の開口とは反対側に位置する第２の開口を備えており、該第２の開口は、底壁の開口の１つに向かい合って位置しており、このとき吸込みフードは、底壁の開口を上回っていて、該開口を包囲していて、底壁の、吸込み通路とは反対の側に取り付けられている。
【０００８】
各掻取り装置を個々の吸込み通路に取り付けるという提案によって、それぞれの吸込み通路を、使用される掻取り装置に対して適合させるもしくは形成することができ、その結果この領域において、十分な空気流を生ぜしめることができ、集積した物質を確実かつ迅速に、負圧源に接続された後続に吸込みフードに引き渡すことが可能になる。これによって掻取り領域において、掻き取られた物質の不所望の集積が発生することを回避することができる。
【０００９】
このような本発明に係る装置は、ボトムローラの掻取りのためにも使用することができる。
【００１０】
掻取り装置を、ドラフト装置のドラフト領域（予備ドラフト領域またはメインドラフト領域）におけるドラフト間隔（相前後して連続するローラ対のニップラインの間における間隔）の調節に合わせることができるようにするために、別の態様では、吸込み通路のうちの少なくとも１つの吸込み通路が、掻取り装置の長手方向に対して横方向に移動可能に底壁に取り付けられている。このように構成されていると、底壁を移動させる必要なしに、掻取り装置を、掻き取られるトップローラの新しい位置に向かって方向付けることが可能である。
【００１１】
このとき好ましくは、それぞれ移動可能に取り付けられた吸込み通路の領域において、かつ各掻取り装置の長手方向に対して横方向で見て、底壁に設けられた開口の幅が、底壁の各開口に向かい合って位置する、吸込み通路の第２の開口の幅よりも大きい。このように構成されていると、各吸込み通路の第２の開口は、調節後においても、底壁の、面積的に少なくとも同じ大きさの貫通開口に向かい合って位置することが、保証される。
【００１２】
さらに別の態様では、各移動可能な吸込み通路は、その第２の開口の領域に、カバーエレメントを備えており、該カバーエレメントを用いて、吸込み通路の底壁の開口の領域が閉鎖され、該領域は、移動可能な吸込み通路の第２の開口の領域を上回っている。このように構成されていると、吸込み通路の移動によって、開口、つまりそれを介してドラフト装置の周囲空気が吸込み通路を迂回して直接吸込みフードの内室に達し得るような開口が、開放されないことが保証される。もし周囲空気が直接フードの内室に達すると、吸込み通路における吸込み出力が低下してしまう。
【００１３】
さらに別の態様では、掻取り装置の長手方向に対して横方向にかつ搬送方向で見て、各吸込み通路の前側および後側の通路壁が、前記掻取り装置に対して２〜１０ｍｍの間隔ａを有していて、前側および後側の通路壁は、掻取り装置の長手方向で見て、端部において吸込み通路に固定されている。
【００１４】
すなわち掻取り装置は、この提案された構成では、少なくとも部分的に吸込み通路の内部に位置していて、作用する負圧によって空気は掻取り装置の両側で両長辺側において該掻取り装置を取り囲むように流れ、これによって掻取り装置を清浄に保つ。
【００１５】
掻取り装置と各通路壁との間の間隔は、次のように設計されねばならない。すなわちこの場合、一方では、過度に小さく選択された自由空間によって閉塞が発生してはならず、かつ他方では、掻き取られた物質を吸込みフード内に運ぶのに十分な空気速度を吸込み通路の内部において保証するために、自由空間が過度に大きく選択されることも望ましくない。
【００１６】
掻取り縁の領域における繊維の付着（このとき繊維の両端部が掻取り体に該掻取り体を取り囲むように引っ掛かることがある）を回避するために、本発明の別の態様では、前側の通路壁に対する掻取り装置の間隔と後側の通路壁に対する掻取り装置間隔とは、互いに異なっている。
【００１７】
このように構成されていると、掻取り装置の前側および後側に関して、空気流のための異なった流過横断面が得られる。これによって、異なった空気流が掻取り装置の前側と後側とにおいて発生する。そしてこれにより、掻取り体を取り囲むように該掻取り体に引っ掛かった繊維を、解離させて吸い込むことが可能になる。
【００１８】
さらに別の好適な態様では、掻取り装置の長手方向に対して横方向にかつ搬送方向Ｆで見て、掻取り装置は、前側の通路壁の延長部に取り付けられていて、吸込み通路の、掻取り装置が少なくとも部分的に向かい合って位置する後側の通路壁に対して８〜２０ｍｍの間隔を有している。
【００１９】
このような態様は、掻取り装置の簡単な取付けを可能にし、かつ、対応配置された吸込み通路の横断面が完全に吸込み動作のために利用できることを保証する。掻取り体のフレキシビリティによって、掻き取られた物質は、トップローラの回転方向において連行され、かつ掻取り体の背後に運ばれる。この位置においてこの物質は、吸込み通路の作用する吸込み空気流によって直ちに捕捉されて排出される。
【００２０】
さらに別の態様では、底壁はフレームに固定されていて、該フレームは、旋回軸を介して旋回可能に、機械フレームに取り付けられており、このとき旋回軸は、掻取り装置の長手方向に対して平行に延びていて、フレームに、ドラフト装置のトップローラの支持部に取り付けられている。このように構成されていると、掻取り装置を備えた装置全体を、完全に休止位置に旋回させることができ、この休止位置において、ボトムローラを備えたドラフト装置の下側領域が接近可能になる。
【００２１】
（例えば（アブラムシが分泌する）密によって網状に結合した付着性の繊維によって）掻取り縁の領域において運転中に生じ得る堆積を回避するために、別の態様では、底壁は、掻取り装置の長手方向に対して横方向に可動にフレームに取り付けられていて、少なくとも１つのばねエレメントを介して作業位置において保持され、このときばねエレメントは、一方ではフレームに、かつ他方では底壁に支持されており、さらにフレームと底壁との間に取り付けられたアクチュエータが設けられていて、該アクチュエータを介して、底壁は周期的に、掻取り装置の長手方向に対して横方向で見て、移動可能である。
【００２２】
通常時においては吸込み通路の領域において十分な吸込み作用にもかかわらず、物質が掻取り縁の領域において付着することが発生するような場合には、このような物質を、ローラ表面からの掻取り装置の短時間の移動または持上げによって、解離させかつ吸い込むことが可能である。掻取り装置のフレキシブルな掻取り体は予荷重をもってローラ表面に接触しているので、上に述べた周期的な離反移動時に、掻取り体は延伸された位置へと弾発的に戻る。この弾発的な戻りによって既に、掻取り縁の領域において固着している物質部分の解離が可能であり、かつ解離された物質は吸い込まれる。周期的な持上げがこの効果を促進する。
【００２３】
好ましくは、アクチュエータとしては、空気力作動式のベローズシリンダが提案される。これによって、アクチュエータの大きな質量を移動させる必要なしに、短い間隔をおいて（例えば１〜２分）、周期的な振動運動を生ぜしめることができる。
【００２４】
また、周期的な往復動のためのアクチュエータとばねエレメントとして形成された戻し手段とを、１つの共通の装置においてまとめることも可能である（例えばばねエレメントと組み合わせられたシリンダ）。
【００２５】
さらに別の態様では、吸込みフードは環状のシールエレメントを備えていて、該シールエレメントを介して吸込みフードは、底壁に載置されていて、かつ固定手段を介して保持される。このように構成されていると、周囲空気に対する確実なシール作用をもって、底壁における吸込みフードの簡単かつ確実な固定が可能になる。吸込みフードの取外しもまた極めて簡単であり、かつこの吸込みフードの取外しは、各吸込み通路の第２の開口の領域におけるクリーニングを目的とした迅速な接近を保証する。
【００２６】
汚れ（吸込みフードの内部における材料集積）のより良好な監視のために好適な態様では、吸込みフードは透明な材料から成っている。
【００２７】
本発明のその他の利点については、以下に記載の実施形態においてより詳しく図示および説明する。
【図面の簡単な説明】
【００２８】
【図１】本発明のように構成された掻取り装置を備えたドラフト装置を概略的に示す側面図である。
【図１ａ】図１の一部を拡大して示す部分図である。
【図１ｂ】図１ａに相当する図であって、別の実施形態を示す部分図である。
【図１ｃ】さらに別の実施形態による、図１ａの一部を示す部分図である。
【図２】図１のＸ−Ｘ線に沿った断面図である。
【００２９】
図１には、ドラフト装置１が側面図で略示されており、このドラフト装置１は、相前後して配置されたローラ対２，３；４，５；６，７を備えて構成されており、これらのローラ対２，３；４，５；６，７は、予備ドラフト領域ＶＶおよびメインドラフト領域ＨＶにおいて繊維材料Ｇを処理するために設けられている。このときドラフトされる繊維材料Ｇは、搬送方向Ｆにおいてドラフト装置１を通して移動させられる。図示されていない駆動手段に結合されたボトムローラ２，４，６は、通常、穿孔された鋼ローラとして形成されていて、機械フレームＭＧに回転可能に支持されている。ボトムローラ２，４，６に対応配置されたトップローラ３，５，７（押圧ローラとも呼ぶ）は、通常、ゴム被覆された表面（周面）Ｚを有していて、運転中に、図示されていない装置を介して、相応に対応配置されたボトムローラ２，４，６に押圧され、これによってニップ箇所Ｋ１，Ｋ２，Ｋ３を形成することができる。トップローラ３，５，７は、軸Ａを介して支持部２６，２７，２８に回転可能に支持されていて、トップローラ３，５，７とそれぞれ共働するボトムローラ２，４，６によって摩擦により駆動される。トップローラ３，５，７の各端部に配置された支持部２６，２７，２８は、フレーム２４に固定されており、このフレーム２４は、旋回軸２２を中心にして旋回可能に機械フレームＭＧに取り付けられている。図１に示された下側位置において、フレーム２４は作業位置にあり、この作業位置では、トップローラ３，５，７はボトムローラ２，４，６に載置されており、このときフレーム２４は、図示されていない装置を介してこの位置においてロックされる。破線で示されかつ双方向矢印によって略示されているように、フレーム２４は上方に向かって旋回軸２２を中心にして休止位置に旋回することができる。この旋回動作時にトップローラ３，５，７もまた一緒に旋回させられ、これによってボトムローラ２，４，６への自由な接近が可能になる。
【００３０】
ドラフト装置１の運転中に、汚れおよびその他の成分が、通過させられる繊維材料Ｇからトップローラ３，５，７の周面Ｚに堆積することがある。このことは、トップローラ３，５，７の静電気によってさらに促進されることがある。これらの堆積物は、該堆積物がトップローラ３，５，７の回転時に各ニップ箇所Ｋ１〜Ｋ３に達した場合に、ドラフト工程に対して不都合に作用することがある。すなわち繊維材料Ｇに対するニップ作用は、各ローラ対の幅方向において、ローラ表面に点状に存在する堆積物によって不均一になってしまう。
【００３１】
従ってこのような堆積物を掻き取るために、トップローラ３，５，７の上には掻取り装置９が設けられており、これらの掻取り装置９は、保持体Ｈと、掻取り縁Ｋを備えた掻取り体Ｅとから成っている。この掻取り体Ｅは、フレキシブルな材料（例えばプラスチック、ゴム等）から成っていて、保持体Ｈと接着またはその他の形式で結合されていてよい。
【００３２】
各掻取り装置９は、それぞれ吸込み通路１１，１２，１３の内部に設けられていて、両端部において、図２に略示された固定手段２０を介して、各吸込み通路１１，１２，１３の外壁に固定され、かつ図１および図１ａに示した作業位置において保持される。この位置において、掻取り体Ｅの、掻取り縁Ｋを備えた各端部は、所定の長さだけ各吸込み通路１１，１２，１３の第１の開口Ｏ１から突出していて、かつ予荷重を加えられて各トップローラ３，５，７の周面Ｚに接触している。
【００３３】
掻取り装置９（図１ａ）は、その長手方向Ｌに対して横方向で見て、ほぼ各吸込み通路１１，１２，１３の内部においてほぼ中心に、かつ前側もしくは後側の通路壁Ｗ１；Ｗ２に対して２〜１０ｍｍの間隔ａをおいて配置されている。これによって空気流が掻取り装置９を両側から取り囲んで流れ（矢印によって略示）、この空気流は、負圧源Ｕからの負圧の供給によって生ぜしめられる。これによって、掻き取られた物質が掻取り装置９の表面に堆積しないことが保証される。
【００３４】
第１の開口Ｏ１とは反対の側に、各吸込み通路１１，１２，１３は第２の開口Ｏ２を備えており、これらの第２の開口Ｏ２はそれぞれ、底壁８に設けられた開口Ｂ１，Ｂ２，Ｂ３と向かい合って位置している。
【００３５】
底壁８は、搬送方向Ｆで見て、両方の長辺側に、上方に向かって延びる折曲げ部８ａを備えている。
【００３６】
このとき折曲げ部８ａは、そのそれぞれの前端部及び後端部に、長孔Ｌ１；Ｌ２を有しており、これらの長孔Ｌ１；Ｌ２はそれぞれピン３０；３１によって貫通されており、これらのピン３０；３１は、その両端部においてそれぞれフレーム２４に固定されている。これによって底壁８はピン３０，３１を介してフレーム２４に結合されている。長孔Ｌ１，Ｌ２の相応の方向付け（図１参照）によって、底壁８はフレーム２４に対して搬送方向Ｆにまたは搬送方向Ｆとは逆方向に移動可能である。
【００３７】
折曲げ部８ａとフレーム２４との間において、ピン３０，３１にはスペーサ（図示せず）が設けられていてよく、これによって底壁８の中心位置（図２に示すように）を、フレーム２４の、底壁８に対して横方向に延びるフレーム部分の内部において固定することができる。
【００３８】
図１ｂには別の実施形態が示されており、このとき掻取り装置９は、各吸込み通路１１，１２の前側の側壁Ｗ１の延長部に直に固定されている。すなわち保持体Ｈは、詳しくは示されていない固定手段を介して前側の側壁Ｗ１に固定されている。この固定部は、ローラ３，５が再研磨されねばならず、かつこのときローラ３，５の直径が減じられた場合に、ローラ３，５の周面Ｚに向かっての掻取り体Ｅの接近を可能にする。
【００３９】
掻取り体のこのような後調節は、別の実施形態においても行うことができる。
【００４０】
掻取り装置９には、少なくとも部分的に各吸込み通路１１；１２の後側の側壁Ｗ２が、８〜２０ｍｍの間隔ｋをおいて向かい合って位置している。掻取り体Ｅの端部は、その掻取り縁Ｋが特定の値だけ各吸込み通路１１；１２から突出していて、各ローラ３，５の周面Ｚに接触している。
【００４１】
既に述べたように、ローラ周面Ｚから掻き取られた物質は、フレキシブルに形成された掻取り体Ｅによって、かつローラ３；５の矢印で示した回転運動の作用を受けて、掻取り体Ｅの（搬送方向Ｆで見て）後ろの領域に移動させられ、この領域から当該物質は、吸込み通路１１，１２内に供給された吸込み空気流（矢印参照）によって、カバーフードＡＨの方向に吸い込まれる。
【００４２】
図１ｃには、図１ａに示した実施形態とは、吸込み通路１１の構成が異なった別の実施形態が略示されている。図１ａにおける実施形態とは異なり、図１ｃにおける実施形態では、掻取り装置９は、吸込み通路１１の内部に偏心して設けられている。このとき前側の側壁Ｗ１に対する間隔ａ’は、後側の側壁Ｗ２に対する間隔ａよりも小さい。間隔の関係を逆転させることも可能である。これによって掻取り装置９の両側において異なった通路横断面が生じる。その結果、比較的小さな間隔ａ’を有する領域における流速度は、比較的大きな間隔ａを有する領域における流速度よりも大きくなる。この効果によって、掻取り体Ｅの掻取り縁Ｋに掛かった略示された繊維を再び解離させることができる。このようなことは、クリーニング目的のために、通路１１が掻取り装置９と共に、ローラ３の軸Ａに対して周期的に移動させられる（以下に記載の例参照）場合に、発生する。このとき掻取り縁Ｋは、ローラ３の周面Ｚから持ち上がり、一点鎖線で示された位置に達する。間隔ａ’を有する吸込み通路における比較的大きな空気流によって、これらの繊維は解離され、この領域において吸い込まれて、吸込みフードＡＨに供給される。
【００４３】
図１から分かるように、折曲げ部８ａの間に設けられた横ウェブ３３には、少なくとも１つのばねエレメント３６が設けられており、このばねエレメント３６はその自由端部でピン３０に支持されている。ばねエレメント３６は、圧縮ばねとして形成されていて、長孔Ｌ１が図１に示した位置においてピン３０に当接するまで、底壁８を走行方向Ｆにおいて移動させるように作用する。ピン３０に当接することによって、底壁８はフレーム２４に対して図示の位置（図１）において固定される。
【００４４】
底壁８の、１つもしくは複数の長孔Ｌ１とは反対側に位置する端部において、別の横ウェブ３４が折曲げ部８ａの間に設けられている。この横ウェブ３４には、少なくとも１つのベローズシリンダ３８が枢着されており、このベローズシリンダ３８は、図１に略示されているように、フレーム２４の横ウェブ４０に固定されている。ベローズシリンダ３８には、圧力源Ｐから圧縮空気が供給される。ベローズシリンダ３８に圧力源Ｐから圧縮空気が供給されると、横ウェブ３４を介して押圧力が底壁８に加えられ、押圧力は底壁８を、搬送方向Ｆとは逆方向にかつばね３６のばね力に抗して移動させる。この移動時に底壁８は、長孔Ｌ１，Ｌ２を介してピン３０，３１に沿って案内される。吸込み通路１１，１２，１３は（以下においてさらに詳しく述べるように）、底壁８に固定されているので、底壁８は、吸込み通路１１，１２，１３の内部に固定された掻取り装置９と共に同様に一緒に移動させられる。この移動によって各掻取り縁Ｋは、トップローラ３，５，７の表面Ｚから離れ、これによって、場合によっては掻取り縁Ｋの領域に存在する堆積物を解離させ、かつ吸い込むことができる。ベローズシリンダ３８にもはや圧力源Ｐから圧縮空気が供給されなくなるや否や、底壁８はばね３６のばね力によって再び搬送方向Ｆにおいて、その出発位置に戻される。掻取り装置９の周期的な移動は、ベローズシリンダ３８への圧縮空気の相応に制御された供給によって、予め設定された時間をおいて行うことができる。
【００４５】
特に図１ａの拡大図から分かるように、吸込み通路１１，１２，１３には、それぞれ第２の開口Ｏ２の領域にカバーエレメントＡ１，Ａ２，Ａ３が設けられており、このカバーエレメントＡ１，Ａ２，Ａ３は、各開口Ｏ２の開放状態において、底壁８の下に直接または間接的に接触している。これらのカバーエレメントＡ１，Ａ２，Ａ３は、底壁８の折曲げ部８ａに直接または間接的に接触する側部の折曲げ部Ａ１１，Ａ２１，Ａ３１を有している。
【００４６】
側部の折曲げ部Ａ１１，Ａ２１は、長孔Ｔを備えており、これらの長孔Ｔを貫いて各１つのねじＲが突出しており、このねじＲを介して折曲げ部Ａ１１，Ａ２１は、底壁８の折曲げ部８ａに結合される。長孔Ｔを介して、ねじＲの解離後に、カバーエレメントＡ１，Ａ２を底壁８に対して移動させることができる。これによって、値ｃ，ｄを有する予備ドラフト領域ＶＶおよびメインドラフト領域ＨＶにおけるニップ間隔を調整することができる。すなわちローラ対２，３または４，５のうちの１つが、搬送方向Ｆに関して、ニップラインＫ１，Ｋ２；Ｋ２，Ｋ３の間における間隔ｃまたはｄを変化させるために移動させられるや否や、相応の掻取り装置９はその位置を合わせることができる。これによって、掻取り装置９は常に、相応に対応配置されたトップローラ３，５，７に関して適正な掻取り位置に位置することが保証される。
【００４７】
（搬送方向Ｆで見て）最前位のローラ対６，７は、位置固定に設けられている。従って前側の吸込み通路１３もまた底壁８に位置固定に固定されている。このとき吸込み通路１３に設けられたカバーエレメントＡ３は、底壁８に直接接触しており、このとき吸込み通路１３の開口Ｏ２と底壁８の開口Ｂ３とは直接向かい合って位置している。底壁８に吸込み通路１３を固定するために、カバーエレメントＡ３は、側部の折曲げ部Ａ３１を有しており、この折曲げ部Ａ３１は、ねじＲを介して折曲げ部８ａに固定される。そのために折曲げ部Ａ３１は、ねじＲが貫通することができる孔を備えている。
【００４８】
吸込み通路１１；１２のこのような移動を実施できるようにするために（このとき後続の吸込みフードＡＨの内室４３内への、吸込み通路１１；１２の第２の開口Ｏ２の自由な通過が保証されていなくてはならない）、底壁８の開口Ｂ１，Ｂ２が、掻取り装置９の長手方向Ｌに対して横方向に見て、各吸込み通路１１，１２の第２の開口Ｏ２の幅ｅよりも大きな幅ｈを有していることが必要である。このとき開口Ｂ１；Ｂ２は、可能な移動の値だけ、両側において開口Ｏ２を上回っている。
【００４９】
吸込み通路１１，１２の位置の特定の移動時に、カバーエレメントＡ１，Ａ２の間における衝突を回避するために、カバーエレメントＡ２は、底壁８（図１ａ）に直接接触しており、かつカバーエレメントＡ２と接触しているカバーエレメントＡ１を越えて延びている。ここにおいても吸込み通路１１の如何なる位置でも吸込み通路１１の第２の開口Ｏ２から吸込みフードＡＨの内室４３への自由な通過を保証するために、カバーエレメントＡ２は、カバーエレメントＡ１と接触している領域に、別の開口Ｂを備えており、この開口Ｂの幅は、開口Ｂ１の幅ｈにほぼ相当している。
【００５０】
これによって、吸込みフードＡＨの内室４３が吸込み通路１１，１２の如何なる位置においても開口Ｏ２以外は周囲空気に対して遮蔽されていることが、保証される。
【００５１】
これによって、吸込み通路１１〜１３の領域における、掻き取られた成分の強力な所望の吸込みが保証される。
【００５２】
吸込みフードＡＨの内室４３内に達した成分は、吸込みフードＡＨに接続された負圧源Ｕの影響を受けて、略示された捕集容器Ｓ内に運ばれる。負圧源Ｕの接続は、吸込みフードＡＨの上側領域に位置する管状の接続部分１０において行われる。
【００５３】
環状のシール部材Ｄを介して底壁８に載置されている吸込みフードＡＨは、その載置領域において、底壁８の開口Ｂ１〜Ｂ３を上回っていて、該開口Ｂ１〜Ｂ３を包囲している。略示された固定手段４４（例えばねじ）を介して、吸込みフードＡＨは底壁８に固定される。
【００５４】
すなわち吸込みフードＡＨは、取外し可能に取り付けられていて、何時でも除去することができるので、例えばクリーニング作業を実施することまたは障害を取り除くことができる。このとき吸込みフードＡＨは透明な材料から成っていてよく、これによって吸込みフードＡＨの内室４３の監視が簡単になる。
【００５５】
提案された装置は、掻取り装置９を備えた移動可能な吸込み通路１１，１２，１３の、提案された取付けによって、掻き取られた成分の強力な吸込みと、ドラフト装置１の予備ドラフト領域ＶＶおよびメインドラフト領域ＨＶにおける種々異なったドラフト間隔への装置の簡単な適合と、を可能にする。
【図１】
0006762878.tif 000002
【図１ａ】
0006762878.tif 000003
【図１ｂ】
0006762878.tif 000004
【図１ｃ】
0006762878.tif 000005
【図２】
0006762878.tif 000006